(57)【要約】【課題】携帯ゲーム機の装飾に適し、貼着が簡単で、しかも貼着ずれを可及的に防止することができる装飾シールを提供すること。【解決手段】電子制御部を備えた機器本体と、ディスプレイを備えた蓋体とによって構成され、蓋体が機器本体の端部にヒンジによって開閉自在に配設され、表面に凹部又は凸部が設けられた携帯ゲーム機の表面に貼着される装飾シールであって、前記凹部又は凸部を露出させるための孔を有し、前記凹部又は凸部を取り囲んだ状態で貼着されるように構成されたことを特徴とする。【選択図】図２
2005211203.tif 000002
【特許請求の範囲】
【請求項１】
電子制御部を備えた機器本体と、ディスプレイを備えた蓋体とによって構成され、蓋体が機器本体の端部にヒンジによって開閉自在に配設され、表面に凹部又は凸部が設けられた携帯ゲーム機の表面に貼着される装飾シールであって、前記凹部又は凸部を露出させるための孔を有し、前記凹部又は凸部を取り囲んだ状態で貼着されるように構成されたことを特徴とする携帯ゲーム機用装飾シール。
【請求項２】
電子制御部を備えた機器本体と、ディスプレイを備えた蓋体とによって構成され、蓋体が機器本体の端部にヒンジによって開閉自在に配設され、表面に凹部であるコネクタが設けられた携帯ゲーム機の表面に貼着される装飾シールであって、前記コネクタを露出させるための孔を有し、前記コネクタを取り囲んだ状態で貼着されるように構成されたことを特徴とする携帯ゲーム機用装飾シール。
【請求項３】
電子制御部を備えた機器本体と、ディスプレイを備えた蓋体とによって構成され、蓋体が機器本体の端部にヒンジによって開閉自在に配設され、表面に凸部であるエンブレムが設けられた携帯ゲーム機の表面に貼着される装飾シールであって、前記エンブレムを露出させるための孔を有し、前記エンブレムを取り囲んだ状態で貼着されるように構成されたことを特徴とする携帯ゲーム機用装飾シール。
【請求項４】
電子制御部を備えた機器本体と、ディスプレイを備えた蓋体とによって構成され、蓋体が機器本体の端部にヒンジによって開閉自在に配設され、表面に凸部である電源スイッチが設けられた携帯ゲーム機の表面に貼着される装飾シールであって、前記電源スイッチを露出させるための孔を有し、前記電源スイッチを取り囲んだ状態で貼着されるように構成されたことを特徴とする携帯ゲーム機用装飾シール。
【請求項５】
電子制御部を備えた機器本体と、ディスプレイを備えた蓋体とによって構成され、蓋体が機器本体の端部にヒンジによって開閉自在に配設され、表面に凸部である音声ボリュームが設けられた携帯ゲーム機の表面に貼着される装飾シールであって、前記音声ボリュームを露出させるための孔を有し、前記音声ボリュームを取り囲んだ状態で貼着されるように構成されたことを特徴とする携帯ゲーム機用装飾シール。
【発明の詳細な説明】
【技術分野】
【０００１】
本発明は、携帯ゲーム機用装飾シールに関するものである。
【背景技術】
【０００２】
装飾シールとして携帯電話の装飾シールが知られている。この携帯電話の装飾シールは、携帯電話の操作ボタンを被覆するものである（例えば、特許文献１参照）。
【特許文献１】特許第３２６６８８８号公報
【発明の開示】
【発明が解決しようとする課題】
【０００３】
しかしながら、携帯ゲーム機にあっては、携帯電話の操作ボタンより以上の操作性が要求されるため、操作ボタン上に装飾シールを被覆するのは好ましくない。また一方で、携帯ゲーム機においては、携帯電話とは異なり、携帯ゲーム機に自分好みの装飾を施したいという要求も強い。また、携帯ゲーム機は子供も使用するものであるから、そこに使用される装飾シールは、それ自体装飾性を有することは勿論のこと、貼着が簡単であること、貼着の際の位置ずれを可及的に防止できるものであることが好ましい。
【０００４】
そこで、本発明は、携帯ゲーム機の装飾に適し、貼着が簡単で、しかも貼着ずれを可及的に防止することができる装飾シールを提供することを目的とする。
【課題を解決するための手段】
【０００５】
請求項１に記載の装飾シールは、電子制御部を備えた機器本体と、ディスプレイを備えた蓋体とによって構成され、蓋体が機器本体の端部にヒンジによって開閉自在に配設され、表面に凹部又は凸部が設けられた携帯ゲーム機の表面に貼着される装飾シールであって、前記凹部又は凸部を露出させるための孔を有し、前記凹部又は凸部を取り囲んだ状態で貼着されるように構成されたことを特徴とする。
【０００６】
請求項２に記載の装飾シールは、電子制御部を備えた機器本体と、ディスプレイを備えた蓋体とによって構成され、蓋体が機器本体の端部にヒンジによって開閉自在に配設され、表面に凹部であるコネクタが設けられた携帯ゲーム機の表面に貼着される装飾シールであって、前記コネクタを露出させるための孔を有し、前記コネクタを取り囲んだ状態で貼着されるように構成されたことを特徴とする。
【０００７】
請求項３に記載の装飾シールは、電子制御部を備えた機器本体と、ディスプレイを備えた蓋体とによって構成され、蓋体が機器本体の端部にヒンジによって開閉自在に配設され、表面に凸部であるエンブレムが設けられた携帯ゲーム機の表面に貼着される装飾シールであって、前記エンブレムを露出させるための孔を有し、前記エンブレムを取り囲んだ状態で貼着されるように構成されたことを特徴とする。
【０００８】
請求項４に記載の装飾シールは、電子制御部を備えた機器本体と、ディスプレイを備えた蓋体とによって構成され、蓋体が機器本体の端部にヒンジによって開閉自在に配設され、表面に凸部である電源スイッチが設けられた携帯ゲーム機の表面に貼着される装飾シールであって、前記電源スイッチを露出させるための孔を有し、前記電源スイッチを取り囲んだ状態で貼着されるように構成されたことを特徴とする。
【０００９】
請求項５に記載の装飾シールは、電子制御部を備えた機器本体と、ディスプレイを備えた蓋体とによって構成され、蓋体が機器本体の端部にヒンジによって開閉自在に配設され、表面に凸部である音声ボリュームが設けられた携帯ゲーム機の表面に貼着される装飾シールであって、前記音声ボリュームを露出させるための孔を有し、前記音声ボリュームを取り囲んだ状態で貼着されるように構成されたことを特徴とする。
【発明の効果】
【００１０】
請求項１〜５の発明によれば、装飾シールの孔を携帯ゲーム機表面の凹部又は凸部に合致させるようにして、装飾シールを携帯ゲーム機表面に簡単に貼着することができる。この場合、装飾シールの孔を携帯ゲーム機表面の凹部又は凸部に合致させるので、貼着ずれが可及的に防止され、貼着ずれに起因して美観を損なうことがなくなる。また、携帯ゲーム機が古くなった場合には装飾シールを貼着することで、その美観性を高めることができる。さらに、装飾シールを貼ることで、携帯ゲーム機の（傷等からの）保護を図ることができる。
【発明を実施するための最良の形態】
【００１１】
図１は、本発明に係る装飾シールを適用する携帯ゲーム機を示した斜視図、図２は、図１に示した携帯ゲーム機に適用される本発明に係る装飾シールセットを示した平面図、図３は、図２に示した装飾シールセットのＡ−Ａ部の構成を拡大して示した断面図、図４は、蓋体への装飾シールの貼着方法を説明するための斜視図、図５は、機器本体への装飾シールの貼着方法を説明するための斜視図である。
【００１２】
１．携帯ゲーム機の構成
図１に示した携帯ゲーム機１は、電子制御部を内蔵した機器本体２と、ディスプレイ６を備えた蓋体３とによって構成され、蓋体３が機器本体２の後側端部にヒンジ４によって開閉自在に設けられている。
【００１３】
この携帯ゲーム機１においては、図１に示したように、機器本体２の上面２ａに操作ボタン５等が設けられている。一方、機器本体２の下面２ｅには、図５に示したように、後側に電池ボックス１１が設けられ、前側にネームプレート１２が設けられている。さらに、機器本体２の下面２ｅには、同図に示されるように、後側角隅部それぞれに他の操作ボタン１３が設けられている。
【００１４】
また、この携帯ゲーム機１においては、機器本体２の右側面２ｂに図１に示したように電源スイッチ８が設けられ、一方、左側面２ｃに図５に示したように音声ボリューム９が設けられている。
【００１５】
さらに、この携帯ゲーム機１においては、機器本体２の前面２ｄに図１に示したようにカセット挿入口１０が形成され、一方、機器本体２の後面２ｆに図５に示したようにコネクタ１４及びストラップ取付部１５が設けられている。
【００１６】
また、この携帯ゲーム機１においては、蓋体３の上面３ｂに図４に示したように凸部であるエンブレム７が設けられ、一方、蓋体３の下面３ａに図１に示されるようにディスプレイ６が設けられている。エンブレム７は凹部であってもよい。
【００１７】
２．装飾シールセットの構成
図２及び図３は、携帯ゲーム機１に使用される装飾シールセット２０を示したものである。このシールセット２０は、図３に示したように、裏面に粘着層２１ａが設けられたシール２１を、上面に剥離層２２ａを形成した基材シート２２に貼着させたものである。この装飾シールセット２０の基材シート２２には、機器本体２の底面２ｅに貼着される底面シール２０ａと、機器本体２の前面２ｄに貼着される前面シール２０ｂと、機器本体２の側面２ｂ，２ｃに貼着される側面シール２０ｃ，２０ｄと、機器本体２の後面２ｆに貼着される後面シール２０ｅと、蓋体３の上面３ｂに貼着される上面シール２０ｆと、蓋体３の両側面３ｄ及び前面３ｃに貼着される周面シール２０ｇとが、それぞれ切込み２３によって象られた状態で坦持されている。
【００１８】
３．各シールの構成
底面シール２０ａは、その外形が機器本体２の底面２ｅよりも僅かに小さな形状を成し、一辺の両角隅部に操作ボタン１３に対応する切込み２３ａを有し、反対側の辺の中間部にカセット挿入口１０の縁に対応した切込み２３ｂを有している。そして、この底面シール２０ａの中央部には、電池ボックス１１の輪郭に対応する切込み２４ａと、ネームプレート１２の輪郭に対応する切込み２４ｂがそれぞれ形成されている。そして、この切込み２４ａ，２４ｂによって囲まれる部分はそれを取り囲む枠から分離できるように構成されている。なお、ここでは電池ボックス１１の輪郭に対応する切込み２４ａと、ネームプレート１２の輪郭に対応する切込み２４ｂとを別個に形成したが、電池ボックス１１とネームプレート１２を合わせた輪郭に対応する１つの切込みを形成し、その切込みによって囲まれる部分をそれを取り囲む枠から分離できるように構成してもよい。
【００１９】
前面シール２０ｂは、機器本体２の前面２ｄよりも僅かに小さな形状を成し、カセット挿入口１０の３つの縁に対応する切込み２３ｃが形成されている。
【００２０】
側面シール２０ｃ，２０ｄは、機器本体２の側面２ｂ，２ｃよりも僅かに小さな形状を成し、電源スイッチ８の輪郭に対応する切込み２３ｄ、音声ボリューム９の輪郭に対応する切込み２３ｅが形成されている。そして、この切込み２３ｄ，２３ｅによって囲まれる部分はそれを取り囲む枠から分離できるように構成されている。
【００２１】
機器本体２の後面シール２０ｅは、機器本体２の後面２ｆよりも僅かに小さな形状を成し、コネクタ１４、ストラップ取付部１５に対応する切込み２３ｆ，２３ｇが形成されている。そして、この切込み２３ｆ，２３ｇによって囲まれる部分はそれを取り囲む枠から分離できるように構成されている。
【００２２】
上面シール２０ｆは、蓋体３の上面３ｂよりも僅かに小さな形状を成し、前部中央にエンブレム７に対応する切込み２３ｈが形成されている。そして、この切込み２３ｈによって囲まれる部分はそれを取り囲む枠から分離できるように構成されている。
【００２３】
周面シール２０ｇは、その長さ及び幅が蓋体３の側面３ｂ及び前面３ｃよりも僅かに小さな形状を成している。
【００２４】
上記したシールセット２０は、例えば、帯状塩化ビニルフィルムの表面に印刷等によって模様を施し、該フィルムの裏面に粘着層２１ａを形成し、それを上面に剥離層２２ａを形成した基材シート２２に貼着させ、その後、カッタ等によってフィルムに切込み２３，２３ａ〜２３ｈを入れることによって形成される。
【００２５】
（貼着方法の一例）
このシールセット２０においては、電池ボックス１１に対応する部分１１ａとネームプレート１２に対応する部分１２ａとはそれを取り囲む枠と一部繋がっているので、基材シート２２から底面シール２０ａを剥離すると、電池ボックス１１に対応する部分１１ａとネームプレート１２に対応する部分１２ａも一緒に剥離される。また、基材シート２２から側面シール２０ｃ，２０ｄを剥離すると、電源スイッチ８に対応する部分８ａ，音声ボリューム９に対応する部分９ａが基材シート２２に残された状態で剥離される。また、基材シート２２から後面シール２０ｅを剥離すると、コネクタ１４に対応する部分１４ａ及びストラップ取付部１５に対応する部分１５ａが基材シート２２に残された状態で剥離され。また、基材シート２２から上面シール２０ｆを剥離すると、エンブレム７に対応する部分７ａが基材シート２２に残された状態で剥離される。なお、前面シール２０ｂと周面シール２０ｇはそのまま剥離される。
【００２６】
このようにして基材シート２２からシール２０ａ〜２０ｇを１つずつ剥離し、図４及び図５に示したように、機器本体２及び蓋体３の各面に貼着する。すなわち、底面シール２０ａを貼着する場合には、底面シール２０ａの角隅部（図５の符号２３ａ部分）を機器本体２の底面２ｅの角隅部に沿わせるようにして、底面シール２０ａを機器本体２の底面２ｅに貼着する。そして、電池ボックス１１に対応する部分１１ａとネームプレート１２に対応する部分１２ａを剥離する。前面シール２０ｂを貼着する場合には、前面シール２０ｂの縁をカセット挿入口１０の３つの縁に沿わせるようにして、前面シール２０ｂを機器本体２の前面２ｄに貼着する。側面シール２０ｃ，２０ｄを貼着する場合には、電源スイッチに対応する孔８ａ、音声ボリューム９に対応する孔９ａをそれぞれ電源スイッチ８、音声ボリューム９に合致させるようにして、側面シール２０ｃ，２０ｄを機器本体２の側面２ｂ、２ｃに貼着する。後面シール２０ｅを貼着する場合には、コネクタ１４に対応する孔１４ａ、ストラップ取付部１５に対応する孔１５ａをそれぞれコネクタ１４、ストラップ取付部１５に合致させるようにして、後面シール２０ｅを機器本体２の後面２ｆに貼着する。上面シール２０ｆを貼着する場合には、エンブレム７に対応する孔７ａをエンブレム７に合致させるようにして、上面シール２０ｆを蓋体３の上面３ｂに貼着する。周面シール２０ｇを貼着する場合には、周面シール２０ｇの縁を蓋体３の側面３ｄ及び前面３ｃの縁に合致させるようにして、周面シール２０ｇを蓋体３の側面３ｄ及び前面３ｃ貼着する。
【図面の簡単な説明】
【００２７】
【図１】本発明に係る携帯ゲーム機用装飾シールを適用する携帯ゲーム機を示した斜視図である。
【図２】図１に示した携帯ゲーム機に適用される本発明に係る装飾シールセットを示した平面図である。
【図３】図２に示した装飾シールセットのＡ−Ａ部の構成を拡大して示した断面図である。
【図４】蓋体への装飾シールの貼着方法を説明するための斜視図である。
【図５】機器本体への装飾シールの貼着方法を説明するための斜視図である。
【符号の説明】
【００２８】
１  携帯ゲーム機
２  機器本体
３  蓋体
４  ヒンジ
５  操作ボタン
６  ディスプレイ
７  エンブレム
８  電源スイッチ
９  音声ボリューム
１０  カセット挿入口
１１  電池ボックス
１２  ネームプレート
１４  コネクタ
２０  装飾シールセット
２０ａ  底面シール
２０ｂ  前面シール
２０ｃ，２０ｄ  側面シール
２０ｅ  後面シール
２０ｆ  上面シール
２０ｇ  周面シール
【図１】
2005211203.tif 000003
【図２】
2005211203.tif 000004
【図３】
2005211203.tif 000005
【図４】
2005211203.tif 000006
【図５】
2005211203.tif 000007